(57)【要約】【課題】小型のタグを用い、且つ通信距離を長くした遠隔検知システムを構成する。【解決手段】遠隔検知システム１０１は、リーダライタ３０、アクティブタグ４０Ａ，４０Ｂ、及びパッシブタグ５０Ａ〜５０Ｆを含む。リーダライタ３０はアクティブタグ４０Ａ，４０Ｂとの間で通信を行い、アクティブタグ４０Ａ，４０Ｂが取得した検知データを読み取る。アクティブタグ４０Ａ，４０Ｂはパッシブタグ５０Ａ〜５０Ｃ，５０Ｄ〜５０Ｆのそれぞれのセンシング情報を検知し、それらのデータをリーダライタ３０へ送信する。パッシブタグ５０Ａ〜５０Ｃ，５０Ｄ〜５０Ｆは、アクティブタグ４０Ａ，４０Ｂとリーダライタ３０との間でなされる通信電波の周波数帯域で共振する共振回路と、その共振回路に接続されたアンテナとを含む。アクティブタグ４０Ａ，４０Ｂはパッシブタグ５０Ａ〜５０Ｃ，５０Ｄ〜５０Ｆからの反射信号の周波数を解析してセンシング情報を取得する。【選択図】図２
2011191889.tif 000002
【特許請求の範囲】
【請求項１】
アクティブタグと、当該アクティブタグとの間で通信を行うリーダとを含む遠隔検知システムにおいて、
前記アクティブタグと前記リーダとの間でなされる通信電波の周波数帯域で共振する共振回路と、当該共振回路に接続されたアンテナとを含むパッシブタグをさらに備え、
前記アクティブタグは、アンテナ、送受信回路、復調回路、制御回路、ＩＤ回路、及び電源回路を備え、トランスポンダ方式によって前記パッシブタグを遠隔検知し、前記リーダへ送信する情報に前記パッシブタグの情報を含める手段を含む、遠隔検知システム。
【請求項２】
前記パッシブタグの共振回路は、検出量に応じて共振周波数が変化するセンサ素子を含む、又はセンサ素子自体である、請求項１に記載の遠隔検知システム。
【請求項３】
前記アクティブタグの制御回路は、前記リーダへ送信する電波が前記パッシブタグで反射されることにより生じる信号を検知し、前記パッシブタグの情報を前記ＩＤ回路によるＩＤで前記リーダと通信する、請求項１又は２に記載の遠隔検知システム。
【請求項４】
アクティブタグとリーダとの間での通信距離は、アクティブタグとセンサタグとの間での通信距離より長い、請求項１乃至３の何れかに記載の遠隔検知システム。
【請求項５】
前記共振回路はＳＡＷデバイスである、請求項１乃至４の何れかに記載の遠隔検知システム。
【請求項６】
前記アンテナは、フィルムと当該フィルムに形成された放射電極とで形成され、前記フィルムに前記共振回路が設けられた、請求項１乃至５の何れかに記載の遠隔検知システム。
【請求項７】
前記パッシブタグの前記アンテナと前記共振回路は気密封止された、請求項１乃至６の何れかに記載の遠隔検知システム。
【発明の詳細な説明】
【技術分野】
【０００１】
本発明は、ＲＦ−ＩＤタグを用いた遠隔検知システムに関するものである。
【背景技術】
【０００２】
従来、ＲＦ−ＩＤ技術に関するものとして例えば特許文献１、特許文献２が開示されている。
【０００３】
特許文献１のデータ通信システムは、データキャリアと本体リーダライタとの間に中継リーダライタが設けられている。中継リーダライタはデータキャリアに接近して配置され、中継リーダライタを介してデータキャリアと本体リーダライタとの間でデータ通信が行われる。中継リーダライタには電池が内蔵されていて、データキャリアが中継リーダライタに実装されたときに電源スイッチが入るように構成されている。
【０００４】
特許文献２の無線応答装置は、インピーダンス変換部を有するＳＡＷ−ＩＤタグで無電源のトランスポンダが構成されている。図１は、特許文献２の状態検知システムの構成を示すブロック図である。状態検知システム１は、送受信機１０および無線応答装置である状態検知センサ２０を有する。送受信機１０は、アンテナ１１を介して状態検知センサ２０に質問信号を送信する。また、送受信機１０は、状態検知センサ２０から送信された応答信号をアンテナ１１を介して受信する。状態検知センサ２０は無給電で動作するセンサ（パッシブセンサ）である。インピーダンス変換部２２は、外力や光など、周囲の状態の変化をインピーダンス変化に変換する。周囲の状態によってインピーダンス変換部２２のインピーダンスが変化し、アンテナ２１と識別信号発生部２３とのインピーダンス整合状態が変化するので、状態検知センサ２０は、周囲の状態に応じた応答信号を出力することになる。
【先行技術文献】
【特許文献】
【０００５】
【特許文献１】特開２００１−１２７６７２号公報
【特許文献２】特開２００７−１８４９２号公報
【発明の概要】
【発明が解決しようとする課題】
【０００６】
特許文献１は、不揮発性メモリを有したデータキャリアが受信信号による電力でデータ通信を行うシステムであるため、キャリアはメモリデータの変復調、受信信号−電圧変換等の機能が必要で、構成が複雑となり、大型になる問題がある。また中継リーダライタはメモリデータを本体リーダライタに中継するのみであり、キャリアと本体リーダライタの通信距離を長くする効果があるだけである。
【０００７】
特許文献２の構成は、ＳＡＷをＩＤとしてインピーダンス変換部がセンサ等に使われる無電源ＳＡＷトランスポンダである。しかしＳＡＷをＩＤとして使用する場合、トランスバーサル型でＩＤＴの有無による“０”“１”判定でＩＤを付与することになる。トランスバーサル型ＳＡＷは共振子型ＳＡＷに比べロスが大きいため、そもそも通信距離等の特性は見込めない。またＩＤの桁数を大きくするほどＩＤＴ本数が増加しＩＤＴ往復の距離が増大するためロスはさらに増大する。しかも、インピーダンスは通信距離に大きな影響を与えるため、インピーダンスの変化を読み取る方式は、読み取り可か不可かに影響を与えシステムとして安定性が悪い。ＩＤのための構成とセンサとを別々に備えるため小型化にも不利である。
【０００８】
本発明の目的は、上述の課題を解消して、小型のタグを用い、且つ通信距離を長くした遠隔検知システムを提供することにある。
【課題を解決するための手段】
【０００９】
本発明の遠隔検知システムは、アクティブタグと、当該アクティブタグとの間で通信を行うリーダとを含む遠隔検知システムにおいて、アクティブタグとリーダとの間でなされる通信電波の周波数帯域で共振する共振回路と、当該共振回路に接続されたアンテナとを含むパッシブタグを備え、アクティブタグは、アンテナ、送受信回路、復調回路、制御回路、ＩＤ回路、及び電源回路を備え、トランスポンダ方式によってパッシブタグを遠隔検知し、リーダとの通信情報に前記パッシブタグの情報を含める手段を含む。
【００１０】
この構成により、アクティブタグとリーダ装置との間での無線通信と、パッシブタグとアクティブタグとの間でのトランスポンダ通信とが互いに有効に作用して、小型のパッシブタグを用いて且つトランスポンダ通信よりも遠距離での通信が可能となる。
【００１１】
前記パッシブタグの共振回路を、検出量に応じて共振周波数が変化するセンサ素子を含むもの、又はセンサ素子自体、とすればパッシブセンサタグの検知内容をリーダで読み取ることができる。
【００１２】
また、アクティブタグとリーダとの間での無線通信の距離を、アクティブタグとセンサタグとの間でのトランスポンダ通信の距離より長くすれば、従来のトランスポンダ通信より遠距離でパッシブタグを利用できるようになる。
【００１３】
前記共振回路は例えばＳＡＷデバイスである。
前記アンテナは、例えばフィルムと当該フィルムに形成された放射電極とで形成され、前記フィルムに前記共振回路が設けられる。
また、例えば前記パッシブタグの前記アンテナと前記共振回路は気密封止される。
【発明の効果】
【００１４】
本発明によれば、リーダとアクティブタグとの通信電波によって、通信距離の比較的短いパッシブタグの出力をトランスポンダ方式で検出できる。また、通信距離の比較的長いリーダとアクティブタグとの間の無線通信で、長距離の１対多点の複数点検知ができる。すなわちアクティブタグ方式とパッシブタグ方式が融合される。
【００１５】
そのため、パッシブタグのトランスポンダ方式での有効通信距離を超える範囲でも、パッシブタグを用いた遠隔検知が可能となる。しかもパッシブタグはＩＤ回路を必要としないので、小型、軽量で、製造が容易となる。
【００１６】
例えば、病院で体温を遠隔検知する場合、複数配置されたアクティブタグの中で体温検知センサタグの近傍のアクティブタグから温度情報とともにＩＤ情報（例えば、病院内の位置情報）などとともに無線検知できる。さらに、複数のアクティブタグの情報はリーダとの無線通信によりリーダに検知情報を集中できる。
【図面の簡単な説明】
【００１７】
【図１】特許文献２の状態検知システムの構成を示すブロック図である。
【図２】本発明の遠隔検知システム１０１のブロック図である。
【図３】図３（Ａ）は図２に示したリーダライタ３０の構成を示すブロック図である。図３（Ｂ）は図２に示したアクティブタグ４０Ａの構成を示すブロック図である。図３（Ｃ）は図２に示したパッシブタグ５０Ａの構成を示すブロック図である。
【図４】図４（Ａ）はパッシブタグ５０Ａの平面図、図４（Ｂ）はパッシブタグ５０Ａの正面断面図である。
【図５】アクティブタグ（４０Ａ，４０Ｂ）とパッシブタグ（５０Ａ〜５０Ｆ）との間での送信信号と反射信号の周波数スペクトラムを示す図である。
【図６】図６（Ａ）は、図３（Ａ）に示したリーダライタ３０の制御回路３１の処理内容を示すフローチャートである。図６（Ｂ）は、図３（Ｂ）に示したアクティブタグ４０Ａの制御回路４１の処理内容を示すフローチャートである。
【発明を実施するための形態】
【００１８】
本発明の遠隔検知システムについて、図１以降の各図を参照して説明する。
図２は本発明の遠隔検知システム１０１のブロック図である。この遠隔検知システム１０１は、リーダライタ３０、アクティブタグ４０Ａ，４０Ｂ、及びパッシブタグ５０Ａ〜５０Ｆを含む。リーダライタ３０はアクティブタグ４０Ａ，４０Ｂとの間で通信を行い、アクティブタグ４０Ａ，４０Ｂが取得した検知データを収集する。
【００１９】
アクティブタグ４０Ａはパッシブタグ５０Ａ〜５０Ｃのそれぞれのセンシング情報を検知し、それらのデータをリーダライタ３０へ送信（応答）する。また、アクティブタグ４０Ａは自身でも所定のセンシングを行い、その情報をリーダライタ３０へ送信（応答）する。同様に、アクティブタグ４０Ｂはパッシブタグ５０Ｄ〜５０Ｆのそれぞれのセンシング情報を検知し、それらのデータをリーダライタ３０へ送信（応答）する。また、アクティブタグ４０Ｂは自身でも所定のセンシングを行い、その情報をリーダライタ３０へ送信（応答）する。
【００２０】
パッシブタグ５０Ａ〜５０Ｃ，５０Ｄ〜５０Ｆは、アクティブタグ４０Ａ，４０Ｂとリーダライタ３０との間でなされる通信電波の周波数帯域で共振する共振回路と、その共振回路に接続されたアンテナとを含む。
【００２１】
図２に示した遠隔検知システム１０１は、アクティブタグ４０Ａ，４０Ｂによる検知データ、及びパッシブタグ５０Ａ〜５０Ｃによる検知データをアクティブタグ４０Ａ，４０Ｂを介して収集する。この例では、パッシブタグ５０Ａ〜５０Ｃはアクティブタグ４０Ｂから一定距離を超えて離れているので、アクティブタグ４０Ｂはパッシブタグ５０Ａ〜５０Ｃの影響を受けない。同様に、パッシブタグ５０Ｄ〜５０Ｆはアクティブタグ４０Ａから一定距離を超えて離れているので、アクティブタグ４０Ａはパッシブタグ５０Ｄ〜５０Ｆの影響を受けない。
【００２２】
図３（Ａ）は図２に示したリーダライタ３０の構成を示すブロック図である。図３（Ｂ）は図２に示したアクティブタグ４０Ａの構成を示すブロック図である。図３（Ｃ）は図２に示したパッシブタグ５０Ａの構成を示すブロック図である。アクティブタグ４０Ｂの構成はアクティブタグ４０Ａと同一である。また、パッシブタグ５０Ｂ〜５０Ｆの構成はパッシブタグ５０Ａと基本的に同一である。
【００２３】
図３（Ａ）に示すように、リーダライタ３０は、アンテナ３５、送受信回路３４、変復調回路３３、制御回路３１、メモリ３２、及びインターフェース回路３６を備えている。送受信回路３４はアンテナ３５を介してアクティブタグ４０Ａ，４０Ｂとの間で送信及び受信を行う。変復調回路３３は送信信号の変調及び受信信号の復調を行う。制御回路３１は各種コマンドをシリアル信号にして変復調回路３３へ出力することによって、アクティブタグ４０Ａ，４０Ｂに対して所定のコマンドを送信する。また、制御回路３１は変復調回路３３から復調信号を入力し、パッシブタグ及びアクティブタグ毎の検知データを区別してメモリ３２に書き込む（収集する）。さらに、制御回路３１はインターフェース回路３６を介して外部回路との間でケーブルを介して通信を行い、検知データを外部へ出力する。
【００２４】
図３（Ｂ）に示すように、アクティブタグ４０Ａは、アンテナ４８、送受信回路４７、変復調回路４６、制御回路４１、電源回路４２、メモリ４３、センサ４４、及びＩＤ回路４５を備えている。送受信回路４７はアンテナ４８を介してアクティブタグ用のリーダライタ３０との間で送信及び受信を行う。変復調回路４６はリーダライタ３０への送信信号の変調及び受信信号の復調を行う。変復調回路４６はまた、パッシブタグ５０Ａ〜５０Ｃからの反射信号の検出も行う。センサ４４は例えば温度センサ、湿度センサ、ガスセンサ等である。ＩＤ回路４５はリーダライタ３０がアクティブタグを識別するために用いる固有の情報を発生する回路である。
【００２５】
なお、必要なセンシングを全てパッシブタグで行う場合には、アクティブタグにこのようなセンサ４４を設ける必要はない。また、メモリ４３は必ずしも制御回路４１の外に設ける必要はない。
【００２６】
制御回路４１は検知データをシリアル信号にして変復調回路４６へ出力することによって、リーダライタ３０へ検知データを送信する。また、制御回路４１は変復調回路４６から復調信号を入力し、リーダライタ３０からのコマンドを識別し、コマンドに応じた処理を行う。検知データの応答要求コマンドであれば、既に取得した検出データにＩＤを付与したシリアル信号を変復調回路４６へ出力する。制御回路４１はさらに、変復調回路４６によって検出されたパッシブタグ５０Ａ〜５０Ｃからの反射信号の周波数情報を読み取り、パッシブタグ５０Ａ〜５０Ｃのセンシング情報を取得する。例えば、パッシブタグ５０Ａ〜５０Ｃの反射信号の周波数は個別に設定されているので、その周波数の検出によってパッシブタグ５０Ａ〜５０Ｃのうち、どのパッシブタグからの反射信号であるかを検知し、前記周波数情報を検知データとしてメモリ４３へ書き込む。
このように、制御回路４１は、リーダライタ３０へ送信する情報にパッシブタグの情報を含める手段を備える。
【００２７】
図３（Ｃ）に示すように、パッシブタグ５０Ａは、ＳＡＷデバイス５４とアンテナの放射電極５２Ａ，５２Ｂを備えてＳＡＷトランスポンダを構成している。ＳＡＷデバイス５４は圧電基板と圧電基板に形成されるＩＤＴ電極と含む共振回路を構成している。放射電極５２Ａ，５２Ｂはダイポールアンテナを構成していて、上記共振回路に接続されている。
なお、ダイポールアンテナに代えて、ループアンテナ、モノポールアンテナ等のアンテナを用いてもよい。
【００２８】
このパッシブタグ５０Ａの共振回路の共振周波数により、アクティブタグ４０Ａから送信された電波の反射状態は異なる。アクティブタグ４０Ａは、この反射信号の周波数を検出することによって、パッシブタグ５０Ａ〜５０Ｃのセンシング情報を検知する。
【００２９】
図４（Ａ）はパッシブタグ５０Ａの平面図、図４（Ｂ）はパッシブタグ５０Ａの正面断面図である。このパッシブタグ５０Ａはベースフィルム５１、ＳＡＷデバイス５４、及び封止フィルム５９を備えている。ベースフィルム５１の上面には放射電極５２Ａ，５２Ｂが形成されている。ＳＡＷデバイス５４は、ニオブ酸リチウムやタンタル酸リチウム等の圧電基板５５上にＩＤＴ電極５６及び反射電極５７Ａ，５７Ｂが形成されていて、２端子１ポートの共振回路が構成されている。この共振回路の共振周波数は例えば８６０ＭＨｚ〜９６０ＭＨｚの周波数帯である。上記共振回路の共振周波数は温度に対して一定の係数を備えている。すなわち周囲温度に応じて共振周波数が変化する。
【００３０】
なお、パッシブタグ５０Ａの共振周波数は、厳密には、ＳＡＷデバイス５４の共振回路と放射電極５２Ａ，５２Ｂとによって構成される回路の共振周波数であるが、実質的にＳＡＷデバイス５４の共振回路の共振周波数に等しい。
【００３１】
このＳＡＷデバイス５４はベースフィルム５１の上面に実装され、ＳＡＷデバイスの２端子が放射電極５２Ａ，５２Ｂに接続されている。封止フィルム５９は、ＳＡＷデバイス５４が実装されているベースフィルム５１の上面の全面に貼付されていて、この封止フィルム５９とベースフィルム５１とによってＳＡＷデバイス及び放射電極５２Ａ，５２Ｂが封止されている。このような耐湿性のある気密封止パッケージ構造とすれば、パッシブタグは高湿度の環境下でも利用できる。
【００３２】
ベースフィルム５１の裏面（外底面）には、必要に応じて両面粘着シート及び離型紙が貼着される。例えばその離型紙を剥がして患者の所定部位にパッシブタグ５０Ａを貼付することによって、体温を検知するためのセンサタグとして作用する。
【００３３】
図５は、アクティブタグ（４０Ａ，４０Ｂ）とパッシブタグ（５０Ａ〜５０Ｆ）との間での送信信号と反射信号の周波数スペクトラムを示す図である。図５において、曲線thruはアクティブタグの送信信号のスペクトラム、曲線SAWはパッシブタグにおけるSAWデバイス以外からの反射信号のスペクトラム、曲線RevはパッシブタグにおけるSAWデバイスからの反射信号のスペクトラム、曲線NWAは、パッシブタグにおけるSAWデバイスの挿入損失の波形である。
【００３４】
この例では、アクティブタグ４０Ａの送信信号の周波数（パッシブタグ５０Ａが存在しない場合又はパッシブタグ５０Ａの共振回路の共振動作が影響を与えない状態での周波数）ｆｔは８６８ＭＨｚ、パッシブタグ５０Ａの共振回路の共振周波数ｆｒは８６８ＭＨｚ＋１００ｋＨｚ程度である。
【００３５】
パッシブタグの共振周波数の変化範囲はアクティブタグ４０Ａの送信信号の周波数の主帯域（図５に示した例では８６７〜８６９ＭＨｚ）内に存在する。そのため、パッシブタグ（５０Ａ〜５０Ｆ）はアクティブタグ（４０Ａ，４０Ｂ）からの送信信号を受けて、共振周波数に応じた反射信号を送信（反射）する。
【００３６】
このように、パッシブタグ５０Ａがアクティブタグ４０Ａの近方界に存在すると、アクティブタグ４０Ａが受ける反射信号の周波数がずれるので、アクティブタグ４０Ａはこの反射信号の周波数を検出して、パッシブタグ５０Ａ〜５０Ｃの共振周波数すなわちセンシング情報を検知する。
【００３７】
図６（Ａ）は、図３（Ａ）に示したリーダライタ３０の制御回路３１の処理内容を示すフローチャートである。図６（Ｂ）は、図３（Ｂ）に示したアクティブタグ４０Ａの制御回路４１の処理内容を示すフローチャートである。
【００３８】
リーダライタ３０は、図６（Ａ）に示すように、一定タイミング又は不定期のタイミングでアクティブタグに対して検知データを要求するコマンドを送信する。これに続いて、アクティブタグから送信（応答）される検知データを受信し、所定の形式でメモリに格納する。既に述べたとおり、この検知データにはアクティブタグが検知したパッシブタグ５０Ａ〜５０Ｆのセンシング情報が含まれている。
【００３９】
アクティブタグ（４０Ａ，４０Ｂ）は、図６（Ｂ）に示すように、受信信号の有無を検出し、受信信号があれば、それがリーダライタ３０からの何らかの要求コマンドであるか否かを判定する。検知データの送信要求であれば、既に取得した検知データをリーダライタ３０へ送信する。また、これとともに、パッシブタグからの反射信号の周波数を解析することによって各パッシブタグのセンシング情報を取得する。そして、それらの検知データを次の送信に備えてメモリへ書き込む。
【００４０】
本発明に係るアクティブタグは、図３（Ｂ）に示したように、リーダライタと通信を行うために送受信回路４７及び変復調回路４６を備えているので、リーダライタに対する送信信号に対するパッシブタグ（ＳＡＷトランスポンダ）の反射信号を受信し解析することは制御回路４１の信号処理で実質的に行われる。すなわち送受信回路４７及び変復調回路４６を既に備えているので、従来構成のアクティブタグの制御回路による信号処理にパッシブタグからの反射信号の解析機能を付加するだけでよい。そのため、アクティブタグの回路規模を殆ど増すことなく、非常に効率の高い遠隔検知システムが構成できる。
【００４１】
また、本発明に係るアクティブタグでは、アクティブタグとパッシブタグとで用いる周波数帯域が共用されることが可能であるため、例えば、［Ａ］アクティブタグとリーダとの間での通信、及び［Ｂ］アクティブタグとパッシブタグとの間での通信において、アクティブタグの構成である、アンテナ、送受信回路、復調回路、及び制御回路が共有できる。これに対し、前述の［Ａ］と前述の［Ｂ］とで異なる周波数帯域を用いるとすれば、前記の構成を共有させると、無線通信（電波送受信）の効率が落ち、通信距離が短くなるか、あるいは、無線通信の効率を維持するために、フィルタ素子、デュプレクサ素子及びスイッチ素子などを用いて信号から所定の周波数帯域を選択し、通過させる分波回路、合波回路及び濾波回路などの周波数選択手段をアクティブタグに付加する必要が生じる。
【００４２】
したがって、このようにアクティブタグとパッシブタグとで用いる周波数帯域が共用されない場合に比較して、回路の共有がもたらす部品点数が削減される。これにより、装置の小型化及び製造工程が簡略化できる。
【００４３】
また、回路の共有化により装置内の回路の数が減らせるので、各回路間を接続する配線長が短縮できる。そのため、配線を配置する面積が削減できるので装置を小型化できる。さらには、配線長の短縮により外界の電磁波が配線に飛び込むノイズが低減できる。そのため、装置の電磁波ノイズ耐性が高まる。
【００４４】
なお、個々のパッシブタグはアクティブタグのＩＤで識別するので、個々のパッシブタグにＩＤ回路が不要であり、ＩＤ回路を設けることによる信号減衰がなく、パッシブタグから送信（反射）される反射信号の減衰を抑制できるので、ＩＤ回路が設けられるときに比べトランスポンダ方式の通信距離を長くできる。
【００４５】
また、所定部位のセンシングにおいて湿気等が問題となる場合にアクティブタグであれば、全体を耐湿構造とするのはサイズ、部品点数から難易度が高いが、パッシブタグとすればセンサ（チップ）のみ気密封止パッケージに実装すればよいので容易に実現できる。
【００４６】
以上に示した遠隔検知システムによれば、例えば、病院で体温を遠隔検知する場合に、配置された複数のアクティブタグのうち、体温検知用のパッシブタグの近傍に配置されたアクティブタグは、パッシブタグにより得た体温情報とともにアクティブタグのＩＤ情報（例えば、病院内の位置情報）をリーダライタ３０へ送信する。これによって、病院内の複数の患者の体温情報を、小型、軽量、製造が容易な（使い捨て可能な）体温検知用パッシブタグを用いて一元管理できる。
【００４７】
《他の実施形態》
以上に示した実施形態はパッシブタグが所定のセンシングを行うセンサタグである例を示したが、パッシブタグの有無の検知を行う場合にも同様に適用できる。この場合、アクティブタグはパッシブタグからの反射信号の有無を検出し、そのことでパッシブタグの有無を検知する。
【００４８】
また、以上に示した例では、リーダライタからの送信信号がパッシブタグで反射されて、その反射信号の周波数を検出するようにしたが、リーダライタからの送信信号の終了後に続いて生じるＳＡＷデバイスの残響による送信信号の周波数を検出することによって、検知データを取得するようにしてもよい。
【００４９】
また、以上に示した例では、ＳＡＷデバイスの温度依存性を積極的に利用して温度センサとして用いるようにしたが、その他に、圧力、磁界、雰囲気等によって共振周波数が変化するようにＳＡＷデバイスを構成すれば、圧力センサ、磁気センサ、ガスセンサのセンサタグとして用いることができ、これらの検知をリーダライタで遠隔で一元的に行うことができる。
【００５０】
なお、以上の実施形態では、リーダライタがアクティブタグと無線通信するように説明したが、アクティブタグに対して何らかのデータを書き込むことは必須の機能ではないので、単に「リーダ」であってもよい。
【符号の説明】
【００５１】
３０…リーダライタ
３１…制御回路
３２…メモリ
３３…変復調回路
３４…送受信回路
３５…アンテナ
３６…インターフェース回路
４０Ａ，４０Ｂ…アクティブタグ
４１…制御回路
４２…電源回路
４３…メモリ
４４…センサ
４５…ＩＤ回路
４６…変復調回路
４７…送受信回路
４８…アンテナ
５０Ａ〜５０Ｆ…パッシブタグ
５１…ベースフィルム
５２Ａ，５２Ｂ…放射電極
５４…ＳＡＷデバイス
５５…圧電基板
５６…ＩＤＴ電極
５７Ａ，５７Ｂ…反射電極
５９…封止フィルム
１０１…遠隔検知システム
【図１】
2011191889.tif 000003
【図２】
2011191889.tif 000004
【図３】
2011191889.tif 000005
【図４】
2011191889.tif 000006
【図５】
2011191889.tif 000007
【図６】
2011191889.tif 000008